(57)【要約】【課題】送液装置のポンプヘッド出口流路に外部モジュールを接続するための外部配管接続部を装置外へ配置することなく、外部配管接続部における配管作業が容易に行なえるようにする。【解決手段】送液装置の配管パネル上に、ポンプヘッド出口と外部配管接続部との間を接続するポンプヘッド出口流路が設けられている。ポンプヘッド出口流路上には、らせん状に巻かれてパネル平面に対して平行に伸縮するコイルバネを構成する金属配管からなるコイル状配管部と、下流端が外部配管接続部となっており、ポンプヘッド出口流路上のコイル状配管部の下流側に接続されコイル状配管部の伸縮によって外部配管接続部がパネル内からパネル外へ引き出されるまでパネルの平面内を移動可能な固形物除去用のラインフィルタ部とが設けられている。配管パネルを囲う筐体には、ラインフィルタ部の移動に際し、外部配管接続部をパネル内からパネル外へ導くための穴が設けられている。【選択図】  図２
2010256097.tif 000002
【特許請求の範囲】
【請求項１】
液体の吸引と吐出を行なうための送液ポンプと、
前記送液ポンプのポンプヘッドが取り付けられているとともに前記ポンプヘッド出口が設けられ、下部にリーク液を受けるためのトレイを備えたパネルと、
前記パネル内に設けられ前記ポンプヘッド出口に外部配管を接続するための外部配管接続部と、
前記ポンプヘッド出口と外部配管接続部との間を接続するポンプヘッド出口流路と、
前記ポンプヘッド出口流路上に設けられ、らせん状に巻かれて前記パネル平面に対して平行に伸縮するコイルバネを構成する金属配管からなるコイル状配管部と、
下流端が前記外部配管接続部となっており、前記ポンプヘッド出口流路上の前記コイル状配管部の下流側に接続され前記コイル状配管部の伸縮によって前記外部配管接続部が前記パネル内からパネル外へ引き出されるまで前記パネルの平面内を移動可能な固形物除去用のラインフィルタ部と、
前記ラインフィルタ部の移動に際し、前記外部配管接続部をパネル内からパネル外へ導くために前記パネルを囲う筐体に設けられた穴と、を備えた送液装置。
【請求項２】
試料を送液するための分析流路と、
前記分析流路上で移動相を送液するための送液装置と、
前記分析流路に試料を注入するための試料注入部と、
前記分析流路を流れる試料を成分ごとに分離するカラムと、
前記カラムにより分離された各成分を検出するための検出器と、
前記検出器からの信号に基づいて試料を成分ごとに分画して捕集するフラクションコレクタと、を備えた分取液体クロマトグラフにおいて、
前記送液装置は請求項１に記載の送液装置であることを特徴とする分取液体クロマトグラフ。
【発明の詳細な説明】
【技術分野】
【０００１】
本発明は、液体クロマトグラフの分析流路に移動相を供給するための送液装置及びその送液装置を用いた分取液体クロマトグラフに関するものである。
【背景技術】
【０００２】
液体クロマトグラフの分析流路に移動相を送液するための送液装置には、一般的に、モータ駆動により液体の吸引・吐出を行なうプランジャポンプのほか、プランジャポンプにより送液される流体の圧力をモニタするための圧力センサや、プランジャポンプにおけるシール部材の摩擦により発生するシールの削りカスなど流体中の固形物を除去するためのラインフィルタが組み込まれている。
【０００３】
上記のような送液装置において、ラインフィルタが圧力センサ内に組み込まれた構造が多く採用されている（特許文献１参照。）。しかし、分取液体クロマトグラフのように送液流量が１０ｍＬ／ｍｉｎ以上の高流量の場合は、ラインフィルタが大きくなり、圧力センサ内に組み込むことができないため、圧力センサの出口に配管を介してラインフィルタを接続することになる。そのような送液装置の配管パネルの一例を図４を用いて説明する。
【０００４】
配管パネル２に２つのプランジャポンプを構成する２つのポンプヘッド６ａ，６ｂが取り付けられたポンプヘッド取付基板８が取り付けられている。この配管パネル２の平面内にポンプヘッド６ａ，６ｂの入口１０ａ，１０ｂと出口１２ａ，１２ｂが配置されている。ポンプヘッド入口１０ａ，１０ｂは３方ジョイント１４の出口にそれぞれ接続されている。３方ジョイント１４の入口１６には移動相が収容された容器に繋がる配管が接続される。
【０００５】
ポンプヘッド出口１２ａ，１２ｂはそれぞれ配管を介して圧力センサ入口１８ａ，１８ｂに接続され、圧力センサ出口１８ｃが配管３０を介してラインフィルタ２２の入口に接続されている。ラインフィルタ２２の出口２４は外部モジュールとの接続を行なうための外部配管接続部となっている。ポンプヘッド出口１２ａ，１２ｂから外部配管接続部２４までの流路はポンプヘッド出口流路を構成している。また、配管パネル２の下部に、各配管接続部からのリーク液を受けるためのトレイ２６が設けられている。
【先行技術文献】
【特許文献】
【０００６】
【特許文献１】特開２００６−１６２２６０号公報
【発明の概要】
【発明が解決しようとする課題】
【０００７】
近年、装置の小型化が進んでおり、配管パネル２も小型化されている。配管パネル２が小型化されると、図３のように配管パネル２内に外部配管接続部２４が配置されていると、配管パネル２を囲っている他のパネル４などの存在もあって外部配管接続部２４に外部配管を接続したり取り外したりする作業をするスペースが狭く、配管作業が困難である。そこで、外部配管接続部２４を配管パネル２の外部に配置しておく方法も考えられるが、そうすると外部配管接続部２４から漏れたリーク液をトレイ２６で受けることができず、装置の外部にリーク液が漏れて外部環境を汚染してしまう虞がある。
【０００８】
そこで本発明は、送液装置のポンプヘッド出口流路に外部モジュールを接続するための外部配管接続部を装置外へ配置することなく、外部配管接続部における配管作業が容易に行なえるようにすることを目的とするものである。
【課題を解決するための手段】
【０００９】
本発明の送液装置は、液体の吸引と吐出を行なうための送液ポンプと、送液ポンプのポンプヘッドが取り付けられているとともにポンプヘッド出口が設けられ、下部にリーク液を受けるためのトレイを備えたパネルと、パネル内に設けられポンプヘッド出口に外部配管を接続するための外部配管接続部と、ポンプヘッド出口と外部配管接続部との間を接続するポンプヘッド出口流路と、ポンプヘッド出口流路上に設けられ、らせん状に巻かれてパネル平面に対して平行に伸縮するコイルバネを構成する金属配管からなるコイル状配管部と、下流端が外部配管接続部となっており、ポンプヘッド出口流路上のコイル状配管部の下流側に接続されコイル状配管部の伸縮によって外部配管接続部がパネル内からパネル外へ引き出されるまでパネルの平面内を移動可能な固形物除去用のラインフィルタ部と、ラインフィルタ部の移動に際し、外部配管接続部をパネル内からパネル外へ導くためにパネルを囲う筐体に設けられた穴と、を備えたものである。
【００１０】
本発明の分取液体クロマトグラフは、試料を送液するための分析流路と、分析流路上で移動相を送液するための送液装置と、分析流路に試料を注入するための試料注入部と、分析流路を流れる試料を成分ごとに分離するカラムと、カラムにより分離された各成分を検出するための検出器と、検出器からの信号に基づいて試料を成分ごとに分画して捕集するフラクションコレクタと、を備え、送液装置として本発明の送液装置を用いたものである。
【発明の効果】
【００１１】
本発明にかかる送液装置は、ポンプヘッド出口流路上にパネル平面に平行に伸縮可能なコイル状配管部を配置し、その下流側にラインフィルタを配置してラインフィルタがコイル状配管部の伸縮によってパネルの平面内方向に移動可能にし、その移動の際、ラインフィルタの際下流部に設けられた外部配管接続部をパネル内からパネル外へ移動させることができるようにパネルを囲う筐体に穴を設けたので、ラインフィルタのフィルタ交換作業などの配管作業を行なう際に、筐体などの制約を受けないパネル外へ外部配管接続部を引き出すことができ、配管作業を容易に行なうことができる。コイル状配管部は弾性変形するため、パネル外へ引き出した外部配管接続部を弾性力によってパネル内の元の位置へ戻すことができ、送液装置の運転時に外部配管接続部から漏れたリーク液をパネル下部のトレイで受けることができ、送液装置外部への液漏れを防止することができる。
【図面の簡単な説明】
【００１２】
【図１】分取液体クロマトグラフの一実施例を示す流路図である。
【図２】送液装置の配管パネルの一実施例を示す平面図である。
【図３】同実施例の配管パネルのラインフィルタ付近の配管作業時の状態を示す平面図である。
【図４】従来の送液装置の配管パネルの一例を示す平面図である。
【発明を実施するための形態】
【００１３】
本発明が適用される分析装置の一例として、分取液体クロマトグラフを例示する。図１は分取液体クロマトグラフの一実施例を表わす。ここではグラジエント分析を行なえるように移動相として２つの溶媒を混合したものを使用し、その組成を時間的に変化させることができるようになっているが、移動相として単一の溶媒を使用するものであってもよい。
【００１４】
この分取液体クロマトグラフで移動相を供給するために、２つの移動相容器に収容されたそれぞれの移動相５ａ，５ｂを送液する２台の送液ポンプ６−１，６−２（それぞれのポンプヘッドを６ａ，６ｂとする。）、２台の送液ポンプ６−１，６−２から送られた溶媒を混合して移動相とするミキサー７、ミキサー７を経た流路を流れる移動相の流量に該当するものとして圧力を検出する圧力センサ１８、圧力センサ１８の下流に配置され、流路を流れる移動相中の固形物を除去するラインフィルタ２２を備えている。ラインフィルタ２２を経た移動相は分離カラム３２へ供給されるが、その分離カラム３２への移動相送液流路に試料を注入するインジェクタ３０が配置されている。インジェクタ３０はオートサンプラの一部を構成し、オートサンプラは試料注入部を構成している。分離カラム３２からの試料成分を検出する検出器３４及び分取装置を備えている。分取装置は、検出器３４を通過後の溶出試料成分を分取容器に採取する分取機構部のフラクションコレクタ３６と、検出器３４の検出信号に基づいてフラクションコレクタ３６の動作を制御する分取制御装置３８を備えている。
【００１５】
分取制御装置３８この分取液体クロマトグラフの動作やデータ処理を行なう制御装置に組み込まれたものとして実現することができる。また、その制御装置とは別に分取装置だけのためのＣＰＵやパーソナルコンピュータにより実現することもできる。
フラクションコレクタ３６には切替えバルブと分取容器としての試験管が配置されている。
【００１６】
試料はインジェクタ３０から流路に注入され、移動相により分離カラム３２に送られ、分離されて溶出する。検出器３４が光学的検出器である場合には、例えば特定波長の吸光度や蛍光によるクロマトグラムをモニタしておき、分取制御装置３８はその特定波長における検出器３４の検出信号に基づいてフラクションコレクタ３６のバルブ切替え制御を行なう。
【００１７】
以下に、送液装置の一実施例を説明する。送液装置は図１の分取液体クロマトグラフでは一点鎖線で囲まれた符号４０の部分に相当する。図２は一実施例の送液装置の配管パネルを示す平面図である。
送液装置は、液体を吸引・吐出する送液ポンプ、送液ポンプ入口流路、送液ポンプ出口流路、送液ポンプを駆動するための駆動機構、送液ポンプによる送液流量をモニタするための流量計、及び流量計による測定値に基づいて送液流量が設定された送液流量になるように駆動機構を制御する制御装置を備えたものである。
【００１８】
送液ポンプとしては、ポンプヘッド内でプランジャを往復運動させる方式のプランジャポンプであり、この実施例では２つのプランジャポンプが設けられている。図１に示されているように、２つの送液ポンプのポンプヘッド６ａ，６ｂがポンプヘッド取付基板８に固定され、ポンプヘッド取付基板８が配管パネル２に取り付けられている。図においてポンプヘッド６ａ，６ｂはポンプヘッド取付基板８の裏側に取り付けられており、ポンプヘッド入口１０ａ，１０ｂ及びポンプヘッド出口１２ａ，１２ｂが配管パネル２の正面側に配置されている。配管パネル２は、例えば送液装置の正面に位置し、その平面を覆う開閉可能なカバーが設けられている。図２ではカバーを省略して図示している。
【００１９】
ポンプヘッド入口１０ａ，１０ｂはそれぞれ配管によって３方ジョイント１４の接続口に接続されている。３方ジョイント１４のもう１つの接続口１６には、例えば液体クロマトグラフの分析流路へ供給する移動相を収容した容器へ繋がる配管が接続される。
【００２０】
送液流量をモニタするための圧力センサ１８は配管パネル２の上部に取り付けられている。圧力センサ１８は２つの入力部１８ａ，１８ｂと１つの出力部１８ｃを備えている。入力部１８ａには配管を介してポンプヘッド出口１２ａが接続され、入力部１８ｂには配管を介してポンプヘッド出口１２ｂが接続されている。出力部１８ｃには、らせん状に巻かれて配管パネル２の平面に対して水平方向に伸縮するコイルバネを構成するコイル状配管部２０の一端が接続されている。コイル状配管部２０は金属配管からなるものであり、その下流端はその伸縮方向に伸びてラインフィルタ２２に接続されている。コイル状配管部２０の配管は、例えば外径１.６ｍｍ、内径０.３〜０.８ｍｍのステンレス管である。ラインフィルタ２２はコイル状配管部２０に支持されている。ラインフィルタ２２の下流端は外部モジュールへの配管を接続するための外部配管接続部となっている。
【００２１】
配管パネル２の下部に、ポンプヘッド入口１０ａ，１０ｂに繋がる配管の接続部やポンプヘッド出口流路を構成する配管の接続部からのリーク液を受けるためのトレイ２６が設けられている。
この送液装置の筐体を構成するパネルのうち配管パネル２の平面に対して垂直な側壁４には、コイル状配管部２０の伸縮によるラインフィルタ２２の移動時にラインフィルタ２２を通すための穴４ａが設けられている。
【００２２】
図３はラインフィルタ付近の配管作業時の状態を示した図であるが、穴４ａはこの送液装置の筐体外部へ通じており、ラインフィルタ２２を通すことにより外部配管接続部を筐体外部へ引き出すことができる。作業者はラインフィルタ２２をこの状態で保持しながら外部配管接続部２４への外部配管の接続や取り外し、フィルタ交換などの作業をパネル２や側壁４による空間的制限を受けることなく容易に行なうことができる。
【００２３】
ラインフィルタ２２はコイル状配管部２０によって弾性的に保持されているため、作業者が図２の状態から手を離すことによりコイル状配管部２０の弾性力によって図１の状態に自動的に戻る。図１の状態に戻ることにより、ラインフィルタ２２の外部配管接続部２４から漏れたリーク液をパネル２下部のトレイ２６で受けることができる。
【００２４】
このように、フィルタ交換や配管作業を行なうときだけポンプヘッド出口流路の外部配管接続部２４を側壁４の穴４ａから配管パネル２の外部へ引き出すことができ、配管作業を行なわないときはコイル状配管部２０の弾性力によって外部配管接続部２４をパネル２内に保持しておけるので、外部配管接続部２４における配管作業が容易であり、送液装置運転時の外部配管接続部２４からのリーク液を外部へ漏らすことも防止できる。
【００２５】
また、上記実施例では、外部配管接続部２４を水平方向に移動可能にしているが、コイル状配管部２０の配置方向を上下方向に変更することで、外部配管接続部２４を例えば上方に移動させることによってパネル２の外部へ引き出せるようにしてもよい。
また、上記実施例では、２つのプランジャポンプを備えているが、送液ポンプの方式や個数は限定されない。
【符号の説明】
【００２６】
２    配管パネル
４    壁面
６ａ，６ｂ  ポンプヘッド
８    ポンプヘッド取付基板
１０ａ，１０ｂ  ポンプヘッド入口
１２ａ，１２ｂ  ポンプヘッド出口
１４    三方ジョイント
１６    ジョイント接続部（入口）
１８    圧力センサ
１８ａ，１８ｂ  圧力センサ入力部
１８ｃ  圧力センサ出力部
２０    コイル状配管部
２２    ラインフィルタ
２４    外部配管接続部
２６    トレイ
３０    インジェクタ
３２    カラム
３４    検出器
３６    フラクションコレクタ
３８    分取制御装置
４０    送液装置
【図１】
2010256097.tif 000003
【図２】
2010256097.tif 000004
【図３】
2010256097.tif 000005
【図４】
2010256097.tif 000006